(57)【要約】【課題】部品点数の削減を図るとともに、システム全体の省スペース化及び省配線化を図ることにより、施工性の向上と施工コストの削減を実現することができ、周囲に影響を与えない放送信号伝送システムを提供する。【解決手段】情報分電盤１１と各放送用アウトレット装置２２−１〜２２−４との間を、一般的なメタルケーブルと比較して軽くて細い多心光ケーブル２１−１〜２１−４により接続する。また、各アンテナ１７〜２０によって得られた放送信号を情報分電盤１１にて光信号に変換して多心光ケーブル２１−１〜２１−４により伝送し、放送用アウトレット装置２２−１〜２２−４にて電気信号に変換してテレビジョン受像機２７に出力する。【選択図】      図１
2005328302.tif 000002
【特許請求の範囲】
【請求項１】
互いモードが異なる複数の放送信号を受信部にて受信し、該受信部で受信された複数の放送信号の中から任意モードの放送信号を再生部にて再生出力する放送受信システムに用いられ、
少なくとも１つの入力端子と光伝送路を接続する出力端子とを有し、前記受信部で得られる複数の放送信号を前記入力端子に入力し、入力信号を前記光伝送路の伝送信号に変換して前記光伝送路に送出する信号処理部と、
前記出力端子に接続される光伝送路の端末に設けられ、かつ前記再生部を接続可能とし、前記光伝送路の伝送信号を前記再生部への出力信号に変換して出力する放送用アウトレット装置とを具備したことを特徴とする放送信号伝送システム。
【請求項２】
前記信号処理部は、前記出力端子を複数個有し、入力した放送信号を電気信号から光信号に変換し、前記複数の出力端子に分岐する信号分電盤であることを特徴とする請求項１記載の放送信号伝送システム。
【請求項３】
前記放送用アウトレット装置は、前記光伝送路の伝送信号を光信号から電気信号に変換して前記再生部に出力することを特徴とする請求項１記載の放送信号伝送システム。
【請求項４】
前記光伝送路から複数の放送信号を含む光信号が伝送されるとき、
前記放送用アウトレット装置は、前記再生部からの要求に応じて前記複数の放送信号の中から任意の放送信号を選択して前記再生部に出力することを特徴とする請求項３記載の放送信号伝送システム。
【請求項５】
前記放送用アウトレット装置は、任意の光信号を前記光伝送路を介して前記信号処理手段へ送出する機能を有することを特徴とする請求項１記載の放送信号伝送システム。
【請求項６】
前記信号処理部は、前記放送用アウトレット装置から送出される信号に応じて、入力される前記複数の放送信号の中から任意の放送信号を選択し、前記光伝送路の伝送信号に変換して前記放送用アウトレット装置に送出する機能を有することを特徴とする請求項５記載の放送信号伝送システム。
【請求項７】
前記再生部が動作に必要な電源を有するとき、
前記放送用アウトレット装置は、前記再生部から電源を受けることを特徴とする請求項１記載の放送信号伝送システム。
【請求項８】
前記信号処理部は、前記放送用アウトレット装置に対し動作に必要な電源を供給する電源供給手段を有することを特徴とする請求項１記載の放送信号伝送システム。
【請求項９】
前記受信部及び前記放送用アウトレット装置に対し共通に設けられ、これら前記受信部及び前記放送用アウトレット装置に対しそれぞれ動作に必要な電源を供給する電源供給部をさらに備えることを特徴とする請求項１記載の放送信号伝送システム。
【請求項１０】
前記光伝送路には、既存のＳＭＦ(シングルモード光ファイバ)、ＭＭＦ(マルチモード光ファイバ)、ＰＯＦ(プラスチック光ファイバ)のうち少なくとも１つを使用することを特徴とする請求項１記載の放送信号伝送システム。
【請求項１１】
前記信号分電盤は、既存のフォトカプラを用いて入力信号を各出力端子に分岐することを特徴とする請求項１記載の放送信号伝送システム。
【請求項１２】
前記光伝送路は、伝送媒体に既存の多心光ファイバコードを用いることを特徴とする請求項１記載の放送信号伝送システム。
【請求項１３】
前記光伝送路は、ＷＤＭ（光波長分割多重）技術及びＴＤＭ（時分割多重）技術の少なくとも一方を用いて複数の放送信号を伝送することを特徴とする請求項１記載の放送信号伝送システム。
【請求項１４】
小規模住宅または戸建住宅に用いられるとき、前記放送用アウトレット装置は、前記小規模住宅または戸建住宅に設置されている既知のスイッチボックス内に収容され、またはコンセントの近くに設置されることを特徴とする請求項１記載の放送信号伝送システム。
【請求項１５】
請求項１記載の放送信号伝送システムで使用される信号処理装置であって、
前記放送信号伝送システムの受信部により受信される複数の放送信号が入力される少なくとも１つの入力端子と、
光伝送路を接続する出力端子と、
前記入力端子に入力される放送信号を前記光伝送路の伝送信号に変換して前記光伝送路に送出する信号変換手段とを具備したことを特徴とする信号処理装置。
【請求項１６】
請求項２記載の放送信号伝送システムで使用される信号分電盤であって、
前記放送信号伝送システムの受信部により受信される複数の放送信号が入力される少なくとも１つの入力端子と、
それぞれ光伝送路を接続する複数の出力端子と、
前記入力端子に入力される放送信号を、電気信号から光信号に変換する電気／光変換手段と、
この電気／光変換手段で変換された光信号を複数の出力端子に分配する信号分配手段とを具備したことを特徴とする信号分電盤。
【請求項１７】
請求項１記載の放送信号伝送システムで使用される放送用アウトレット装置であって、
接続される光伝送路の伝送信号を入力する入力手段と、
任意モードの放送信号を再生出力する再生部を接続する接続手段と、
前記光伝送路の伝送信号を前記再生部への出力信号に変換して出力する信号変換手段とを具備したことを特徴とする放送用アウトレット装置。
【発明の詳細な説明】
【技術分野】
【０００１】
この発明は、主に小規模住宅及び戸建住宅において、互いモードが異なる複数の放送信号をアンテナ等の受信部にて受信し、この受信部で受信された複数の放送信号の中から任意の放送信号をテレビジョン受像機等の再生部にて再生出力する放送受信システムに用いられる放送信号伝送システム及びこの放送信号伝送システムで使用される信号処理装置、信号分電盤及び放送用アウトレット装置に関する。
【背景技術】
【０００２】
近年、小規模住宅及び戸建住宅においては、ＶＨＦ放送、ＵＨＦ放送、ＢＳ放送、ＣＳ放送、ＣＳ１１０度放送、ＣＡＴＶ放送等といった多種モードの放送サービスを受けることができるようになっている。さらに、インターネット（ＩＰ網）を利用したブロードバンドサービスも受けることができるようにもなっている。
【０００３】
この場合、複数の放送サービスが混在する複数の信号伝送路を１箇所に集中する情報分電盤が使用される。この情報分電盤は、住宅内の天井裏または壁裏に配置され、そこから各部屋にＶＨＦ／ＵＨＦ兼用同軸ケーブル、ＢＳ／ＣＳ兼用同軸ケーブル、ＣＡＴＶ用同軸ケーブルが敷設され、各同軸ケーブルの端末にそれぞれの部屋で必要なチューナ等の接続機器に対応する放送用コンセントが取り付けられる。
【０００４】
上記情報分電盤は、増幅器及び分配器を備え、入力信号を増幅器にて十分な分配信号が得られるレベルまで増幅し、この増幅信号を分配器にて分配して各同軸ケーブルに出力する。
【０００５】
一方、従来の技術の例として配線システム（例えば、特許文献１）がある。このシステムは放送信号の選局部と切り替え部を含むヘッドエンドを用いて、同軸ケーブルの本数を少なくするようにしている。
【特許文献１】特許第３０４２３３６号。
【発明の開示】
【発明が解決しようとする課題】
【０００６】
ところで、同軸ケーブルを一般に用いられる直径１６ｍｍ、２２ｍｍの配管に通すと通常は１、２本となり、同軸ケーブルを３本通すのはほとんどの配管で施工時に困難となる。このため、配管既設設備の場合は既設配管適用が難しく、新規建設の場合も建設費用がかさむ要因となる。また、配管に通さずに配線する場合でも同軸ケーブルの本数が増えると、敷設時のコスト性や作業性の悪化につながる。
【０００７】
同様にコンセントにおいてもJISC8305規格に従うと１つのコンセントにおけるスイッチボックスのサイズは５６ｍｍ×１０２ｍｍ×３５ｍｍであり、一般に同軸ケーブルを３本以上入れることは困難なので同軸ケーブルが３本以上の場合にはコンセントを増やさなければならない。これはコストや作業性の悪化につながるのみならず美観を損ねることとなる。
【０００８】
情報分電盤においても同軸ケーブルが多くなると接続部がかなりの大きさとなるため、一般的なサイズの分電盤では困難が生じ、情報分電盤の大型化や追加が必要となる。
【０００９】
また、同軸ケーブルが増えると他の近傍の電気信号を伝送している同軸ケーブルや情報配線等との混信が起きる確立が高くなる。さらに、放送用コンセントを追加した際や伝送距離が伸びた場合、分岐や伝送距離の増加によって電圧損失が大きくなるため、情報分電盤に増幅器を追加する必要がある。これは、情報分電盤の内部構成の設計変更が余儀なくされ、コストが大幅に増大してしまうことになる。
【００１０】
一方、上記特許文献１においても、ケーブルを他のサービスと共有するため端末コントローラ等の機器が必要となる。また、電気信号を用いるので周辺へのノイズの発生や、周辺ノイズの影響を受ける等の問題がある。
【００１１】
そこで、この発明の目的は、部品点数の削減を図るとともに、システム全体の省スペース化及び省配線化を図ることにより、施工性の向上と施工コストの削減を実現することができ、周囲に影響を与えない放送信号伝送システム及びこの放送信号伝送システムで使用される信号処理装置、信号分電盤及び放送用アウトレット装置を提供することにある。
【課題を解決するための手段】
【００１２】
この発明は、上記目的を達成するために、以下のように構成される。  
互いモードが異なる複数の放送信号を受信部にて受信し、該受信部で受信された複数の放送信号の中から任意モードの放送信号を再生部にて再生出力する放送受信システムに用いられ、少なくとも１つの入力端子と光伝送路を接続する出力端子とを有し、受信部で得られる複数の放送信号を入力端子に入力し、入力信号を光伝送路の伝送信号に変換して光伝送路に送出する信号処理手段と、出力端子に接続される光伝送路の端末に設けられ、かつ再生部を接続可能とし、光伝送路の伝送信号を再生部への出力信号に変換して出力する放送用アウトレット装置とを備えるようにしたものである。なお、光伝送路には、既存のＳＭＦ(シングルモード光ファイバ)、ＭＭＦ(マルチモード光ファイバ)、ＰＯＦ(プラスチック光ファイバ)のうち少なくとも１つを使用する。
【００１３】
この構成によれば、既存の光ファイバコードは一般的なメタルケーブルと比較して軽く、細いので複数本の配線がしやすく、受信する放送サービスが増えても配管を増やす必要性が低い。また、受信部にて得られた放送信号を信号処理部にて光伝送路の伝送信号に変換して伝送し、放送用アウトレット装置にて光伝送路からの伝送信号を再生部への出力信号に変換して出力するようにしているので、受信する放送サービスが増えた場合には既に取り付けられている放送用アウトレット装置を該放送サービスに対応する放送用アウトレット装置に交換するだけでよく、光伝送路や信号処理部本体に何ら手を加える必要がない。これにより、システム全体の省スペース化及び省配線化を図ることができ、施工性の向上と施工コストの削減を実現できる。さらに、他の放送サービスによる光信号が信号処理部に入力されたとしても、この光信号を光伝送路に通して再生部に提供することができる。
【００１４】
信号処理部は、出力端子を複数個有し、入力した放送信号を電気信号から光信号に変換し、複数の出力端子に分岐する信号分電盤であり、放送用アウトレット装置は、光伝送路の伝送信号を光信号から電気信号に変換して再生部に出力することを特徴とする。  
この構成によれば、電気信号である放送信号を信号分電盤により光信号に変換して複数の出力端子に分岐して出力し、放送用アウトレット装置により光信号を電気信号に変換して再生部に出力するようにしているので、信号分電盤に信号分岐に必要な増幅器を設ける必要がなく、放送用アウトレット装置まで光信号により伝送されることにより、周辺の電場に影響を与えることがなく、混信が発生しにくい。
【００１５】
光伝送路から複数の放送信号を含む光信号が伝送されるとき、放送用アウトレット装置は、再生部からの要求に応じて複数の放送信号の中から任意モードの放送信号を選択して再生部に出力することを特徴とする。  
この構成によれば、放送用アウトレット装置に放送信号選択機能を持たせるようにしているので、再生部側に放送信号選択部を設ける必要がなく、再生部からの要求に応じて最適な放送信号を再生部に対し提供することができる。
【００１６】
放送用アウトレット装置は、任意の光信号を光伝送路を介して信号処理部へ送出する機能を有し、信号処理部は、放送用アウトレット装置から送出される信号に応じて、入力される複数の放送信号の中から任意モードの放送信号を選択し、光伝送路の伝送信号に変換して放送用アウトレット装置に送出する機能を有することを特徴とする。
【００１７】
この構成によれば、信号処理部に再生部からの要求に応じた放送信号を複数の放送信号の中から任意モードの放送信号を選択して送出する機能を持たせておくことにより、放送用アウトレット装置の処理負担を低減でき、これにより再生部からの要求に応じて最適な放送信号を再生部に対し提供することができる。
【００１８】
再生部が電源を有するとき、放送用アウトレット装置は、再生部からの電源を受けることを特徴とする。また、信号処理部は、放送用アウトレット装置に対し電源を供給する電源供給手段を有することを特徴とする。さらに、受信部及び前記放送用アウトレット装置に対し、同一の電源を供給する電源供給部をさらに備えることを特徴とする。
【００１９】
この構成によれば、光伝送路の端末に放送用アウトレット装置を接続しただけでなく、放送用アウトレット装置の電源を再生部、信号処理部または受信部の電源と共用するようにしているので、放送用アウトレット装置の小型化を図ることができるとともに、システム全体の省電力化を図ることができる。
【００２０】
光伝送路は、伝送媒体に既存の多心光ファイバコードを用いることを特徴とする。また、光伝送路は、ＷＤＭ（光波長分割多重）技術及びＴＤＭ（時分割多重）技術の少なくとも一方を用いて複数の放送信号を伝送することを特徴とする。
【００２１】
この構成によれば、信号処理部から放送用アウトレット装置に対し複数の放送信号を同時に伝送することができるので、信号処理部と放送用アウトレット装置との間を接続する光伝送路の数を減らすことができ、これによりシステム全体の配線構造の簡素化を図ることができる。また、光伝送路を他のＩＰサービスによる放送信号と共有する場合にも、相互に影響を与えることなく放送用アウトレット装置に伝送することができる。
【００２２】
小規模住宅または戸建住宅に用いられるとき、放送用アウトレット装置は、小規模住宅または戸建住宅に設置されている既知のスイッチボックス内に収容され、またはコンセントの近くに設置されることを特徴とする。
【００２３】
この構成によれば、放送用アウトレット装置は家庭用スイッチボックスや配管に納まり、また家庭での使用に相応しい外観を持つので、住宅の景観を大きく損なうことなく本発明品を導入することができる。
【発明の効果】
【００２４】
以上詳述したようにこの発明によれば、部品点数の削減を図るとともに、システム全体の省スペース化及び省配線化を図ることにより、施工性の向上と施工コストの削減を実現することができ、周囲に影響を与えない放送信号伝送システム及びこの放送信号伝送システムで使用される信号処理装置、信号分電盤及び放送用アウトレット装置を提供することができる。
【発明を実施するための最良の形態】
【００２５】
以下、この発明の実施形態について図面を参照して詳細に説明する。  
（第１の実施形態）  
図１はこの発明に係わる放送信号伝送システムの第１の実施形態を示す概略構成図である。
【００２６】
図１において、符号１１は情報分電盤である。なお、ここでは説明を簡単にするため、情報分電盤１１の入出力チャンネル（系統）数をいずれも４チャンネルとする。
【００２７】
この第１の実施形態では、情報分電盤１１の第１入力チャンネルに混合器１２を接続し、第２入力チャンネルに混合器１３を接続し、第３入力チャンネルに混合器１４を接続し、第４入力チャンネルにＣＡＴＶ保安器１５を接続している。
【００２８】
混合器１２は、混合器１６の出力とＢＳ／ＣＳ１１０°兼用のアンテナ１７で受信されたＢＳ／ＣＳ１１０°放送信号とを重畳する。混合器１６は、ＶＨＦ用のアンテナ１８で受信されたＶＨＦ放送信号と、ＵＨＦ用のアンテナ１９で受信されたＵＨＦ放送信号とを重畳する。
【００２９】
混合器１３は、ＣＳ用アンテナ２０で受信されたＣＳ放送信号のＶ（垂直）波による信号とＨ（水平）波による信号とを重畳する。混合器１４も混合器１３と同様にＣＳ用アンテナ２０で受信されたＣＳ放送信号のＶ（垂直）波による信号とＨ（水平）波による信号とを重畳する。
【００３０】
ＣＡＴＶ保安器１５は、ケーブルにより放送されるＣＡＴＶ放送信号を受信し、情報分電盤１１に供給する。
【００３１】
また、情報分電盤１１は、第１出力チャンネルに多心光ケーブル２１−１を接続し、第２出力チャンネルに多心光ケーブル２１−２を接続し、第３出力チャンネルに多心光ケーブル２１−３を接続し、第４出力チャンネルに多心光ケーブル２１−４を接続している。これら多心光ケーブル２１−１〜２１−４は、それぞれ３本のＳＭＦ(シングルモード光ファイバ)を収容している。また、多心光ケーブル２１−１〜２１−４の各端末には、放送用アウトレット装置２２−１〜２２−４が接続される。
【００３２】
なお、情報分電盤１１は、住宅の壁裏に設置され、放送用アウトレット装置２２−１〜２２−４は、各部屋に配置される。
【００３３】
次に、上記情報分電盤１１及び各放送用アウトレット装置２２−１〜２２−４の内部構成について説明する。なお、放送用アウトレット装置２２−１〜２２−４については、それぞれ同一構成であるので、放送用アウトレット装置２２−１を代表して説明する。  
情報分電盤１１は、ＣＡＴＶブースタ１１１と、電気／光変換器１１２と、光分配器１１３−１〜１１３−３とを備えている。ＣＡＴＶブースタ１１１は、混合器１４の出力またはＣＡＴＶ保安器１５の出力の信号強度を増幅する。電気／光変換器１１２は、混合器１２の出力、混合器１３の出力及びＣＡＴＶブースタ１１１の出力を光信号に変換する。光分配器１１３−１は、電気／光変換器１１２により変換された混合器１２の出力による光信号を多心光ケーブル２１−１〜２１−４に分配する。光分配器１１３−２は、電気／光変換器１１２により変換された混合器１３の出力による光信号を多心光ケーブル２１−１〜２１−４に分配する。光分配器１１３−３は、電気／光変換器１１２により変換されたＣＡＴＶブースタ１１１の出力による光信号を多心光ケーブル２１−１〜２１−４に分配する。
【００３４】
放送用アウトレット装置２２−１は、光／電気変換器２２１と、放送用コンセント２２２−１〜２２２−３とを備えている。放送用コンセント２２２−１には、分波器２３が接続され、放送用コンセント２２２−２には、切替スイッチ２４が接続され、放送用コンセント２２２−３には、分波器２５が接続される。
【００３５】
光／電気変換器２２１は、多心光ケーブル２１−１により伝送された光信号を電気信号に変換して対応する放送用コンセント２２２−１〜２２２−３に出力する。放送用コンセント２２２−１から出力された例えばＣＡＴＶ放送信号は、ＣＡＴＶホームターミナル２６により任意のチャンネルが選局された後、テレビジョン受像機２７に供給されて再生表示される。
【００３６】
また、放送用コンセント２２２−２から出力された例えばＣＳ放送信号は、切替スイッチ２４を介してＣＳチューナ２８により任意のチャンネルが選局された後、テレビジョン受像機２７に供給されて再生表示される。なお、切替スイッチ２４はＣＳチューナ２８からの切替信号に応じて、分波器２３の出力と放送用コンセント２２２−２の出力とを選択的に導出するものである。
【００３７】
さらに、放送用コンセント２２２−３から出力された放送信号は、分波器２５によってＶＨＦ／ＵＨＦ放送信号とＢＳ／ＣＳ１１０°放送信号とに分配されてテレビジョン受像機２７に供給され、視聴者の選択指示によってＶＨＦ、ＵＨＦ、ＢＳ、ＣＳ１１０°の放送信号が選択的に再生表示される。
【００３８】
ところで、第１の実施形態の放送用アウトレット装置２２−１〜２２−４は、汎用のアウトレット装置から電源部を削除したものとなっている。すなわち、放送用アウトレット装置２２−１〜２２−４の電源は、ＣＡＴＶホームターミナル２６の電源及びＣＳチューナ２８の電源で共用されることになる。
【００３９】
また、アンテナ１７、アンテナ１８、アンテナ１９及びＣＳ用アンテナ２０それぞれの電源は、情報分電盤１１の電源と共用されることになる。
【００４０】
次に、上記構成における動作について説明する。  
小規模住宅及び戸建住宅において、以前は図２〜図４に示す信号伝送システムが考えられていた。なお、図２〜図４において、上記図１と同一部分には同一符号を付して詳細な説明を省略する。
【００４１】
図２に示すシステムは、全部屋に伝送される映像信号がＶＨＦ放送、ＵＨＦ放送、ＢＳ放送、ＣＳ１１０°放送のみの場合で、これらの信号を各放送用コンセント３１〜３４で共聴し、１部屋のみ共聴しないＣＳ放送、ＣＡＴＶ放送を加えた場合である。
【００４２】
図３に示すシステムは、図２における全放送を共聴した場合であり、情報分電盤４５によって同軸ケーブル４６に放送信号を重畳させることで同軸ケーブル４６の本数を節約している。
【００４３】
図４に示すシステムは、図３に示すシステムと同じ放送に対応するものであるが、衛星信号切替器５５−１〜５５−４を情報分電盤５４に設けることで同軸ケーブル５６の省配線化を図ったものである。
【００４４】
ところで、上記図２に示すシステムでは、４部屋に放送用コンセント３１〜３４を設置する場合、１部屋あたり同軸ケーブル１本、情報分電盤３５には５本のケーブルが接続される。また、１部屋のみ同軸ケーブル３本となる。
【００４５】
また、図３に示すシステムでは、１部屋あたり同軸ケーブル３本、情報分電盤４５には１６本のケーブルが接続される。さらに、図４に示すシステムでは、１部屋あたり同軸ケーブル３本、情報分電盤５４には同軸ケーブル１８本が接続されることとなる。
【００４６】
このため、配管既設設備の場合は既設配管適用が難しく、新規建設の場合も建設費用がかさむ要因となる。また、配管に通さずに配線する場合でも同軸ケーブルの本数が増えると、敷設時のコスト性や作業性の悪化につながる。
【００４７】
そこで、本第１の実施形態では、情報分電盤１１と各部屋の放送用アウトレット装置２２−１〜２２−４との間を、多心光ケーブル２１−１〜２１−４により接続するようにした。
【００４８】
まず、情報分電盤１１は、住宅内の適当な壁裏に配置され、そこから各部屋へ多心光ケーブル２１−１〜２１−４が敷設され、その端末にそれぞれの部屋で必要な接続機器に対応する放送用アウトレット装置２２−１〜２２−４が取り付けられる。
【００４９】
ＶＨＳ放送、ＵＨＦ放送、ＢＳ放送、ＣＳ１１０°放送及びＣＳ放送、ＣＡＴＶ放送を全部屋で共聴する場合、放送信号は各アンテナ１７〜２０によって受信され、アンテナ近傍で重畳されて情報分電盤１１に送られるが、ここで光化され放送用アウトレット装置２２−１〜２２−４に続くファイバヘと分配される。分配された信号は各放送用アウトレット装置２２−１〜２２−４によって電気信号に変換されてテレビジョン受像機２７に供給される。これは既存の光ファイバと光電変換素子を用いて実現することができる。この例では給電方式の第一の例として情報分電盤１１内の給電が必要な機器には直接給電し、各衛星アンテナ１７，２０のコンバータには情報分電盤１１から同軸ケーブルを介して給電しており、放送用アウトレット装置２２−１〜２２−４にはＣＳチューナ２８より同軸ケーブルを介して給電している。
【００５０】
この例で多心ファイバコード２１−１〜２１−４を用いると、メタルケーブルによる同軸ケーブルの場合と比べ放送用コンセントにはコード１本、情報分電盤１１には同軸ケーブル４本、コード４本の接続でよいので両者において大幅な省スペース化が可能となる。また、情報分電盤１１から放送用アウトレット装置２２−１〜２２−４ヘの配線が同軸ケーブル１２本から光コード４本に減るので大幅な施エコストの低減に繋がる。また、周辺の電場への影響も無くなる。
【００５１】
以上のように上記第１の実施形態では、情報分電盤１１と各放送用アウトレット装置２２−１〜２２−４との間を、一般的なメタルケーブルと比較して軽くて細い多心光ケーブル２１−１〜２１−４により接続するようにしているので、受信する放送サービスが増えても配管を増やす必要性が低い。
【００５２】
また、各アンテナ１７〜２０によって得られた放送信号を情報分電盤１１にて光信号に変換して多心光ケーブル２１−１〜２１−４により伝送し、放送用アウトレット装置２２−１〜２２−４にて電気信号に変換してテレビジョン受像機２７に出力するようにしているので、情報分電盤１１に信号分岐に必要な増幅器を設ける必要がなく、これにより情報分電盤１１の小型化及び低コスト化を図ることができる。
【００５３】
従って、システム全体の省スペース化及び省配線化を図ることができるとともに、施工性の向上と施工コストの削減を実現でき、周辺の電場や磁場に影響を与えることなく、混信が発生しにくい。
【００５４】
また、受信する放送サービスが増えた場合には既に取り付けられている放送用アウトレット装置２２−１〜２２−４を該放送サービスに対応する放送用アウトレット装置に交換するだけでよく、多心光ケーブル２１−１〜２１−４や情報分電盤１１本体に何ら手を加える必要がない。
【００５５】
また、上記第１の実施形態によれば、多心光ケーブル２１−１〜２１−４の端末に放送用アウトレット装置２２−１〜２２−４を接続しただけでなく、放送用アウトレット装置２２−１〜２２−４の電源をＣＡＴＶホームターミナル２６及びＣＳチューナ２８の電源と共用するようにしているので、放送用アウトレット装置２２−１〜２２−４自体の小型化を図ることができるとともに、システム全体の省電力化にも寄与できる。
【００５６】
（第２の実施形態）  
図５はこの発明に係わる放送信号伝送システムの第２の実施形態を示す概略構成図である。図５において、上記図１と同一部分には同一符号を付して詳細な説明を省略する。また、放送用アウトレット装置６１−１〜６１−４のうち放送用アウトレット装置６１−１を代表して説明する。
【００５７】
すなわち、この第２の実施形態では、放送用アウトレット装置６１−１に、上記分波器２３及び切替スイッチ２４を内蔵するようにした。
【００５８】
放送用コンセント２２２−１にはＣＡＴＶホームターミナル２６が接続され、放送用コンセント２２２−２にはＣＳチューナ２８が接続され、放送用コンセント２２２−３には分波器２５が接続される。
【００５９】
光／電気変換器２２１により電気信号に変換された例えばＣＡＴＶ放送信号は、分波器２３により放送用コンセント２２２−１に導出される。そして、放送用コンセント２２２−１から出力されたＣＡＴＶ放送信号は、ＣＡＴＶホームターミナル２６により任意のチャンネルが選局された後、テレビジョン受像機２７に供給されて再生表示される。
【００６０】
また、光／電気変換器２２１により電気信号に変換された例えばＣＳ放送信号は、切替スイッチ２４を介して放送用コンセント２２２−２に導出される。そして、放送用コンセント２２２−２から出力されたＣＳ放送信号は、ＣＳチューナ２８により任意のチャンネルが選局された後、テレビジョン受像機２７に供給されて再生表示される。なお、切替スイッチ２４はＣＳチューナ２８からの切替信号に応じて、分波器２３の出力と光／電気変換器２２１の出力とを選択的に導出するものである。
【００６１】
さらに、光／電気変換器２２１から放送用コンセント２２２−３へ導出された放送信号は、分波器２５によってＶＨＦ／ＵＨＦ放送信号とＢＳ／ＣＳ１１０°放送信号とに分配されてテレビジョン受像機２７に供給され、視聴者の選択指示によってＶＨＦ、ＵＨＦ、ＢＳ、ＣＳ１１０°の放送信号が選択的に再生表示される。
【００６２】
以上のように上記第２の実施形態では、放送用アウトレット装置６１−１〜６１−４に分波器２３及びＣＳ放送用の切替スイッチ２４を内蔵するようにしているので、各部屋ではＣＳ放送信号を切り替えるための分波器２３及び切替スイッチ２４を備える必要がなく、ＣＳチューナ２８からの切替信号に応じて最適なＣＳ放送信号をテレビジョン受像機２７にて視聴することができる。これにより、室内における美観の向上を図ることができる。
【００６３】
（第３の実施形態）  
図６はこの発明に係わる放送信号伝送システムの第３の実施形態を示す概略構成図である。図６において、上記図１と同一部分には同一符号を付して詳細な説明を省略する。また、放送用アウトレット装置７１−１〜７１−４のうち放送用アウトレット装置７１−１を代表して説明する。
【００６４】
すなわち、この第３の実施形態では、放送用アウトレット装置７１−１に、上記切替スイッチ２４を内蔵するようにした。
【００６５】
また、放送用アウトレット装置７１−１には、２つの放送用コンセント７２−１，７２−２が設けられる。放送用コンセント７２−１には分波器２３が接続され、放送用コンセント７２−２には分波器２５が接続される。
【００６６】
光／電気変換器２２１により電気信号に変換された例えばＣＡＴＶ放送信号は、切替スイッチ３４を介して放送用コンセント７２−１に導出される。そして、放送用コンセント７２−１から出力されたＣＡＴＶ放送信号は、分波器２３によりＣＡＴＶホームターミナル２６に導出され、ＣＡＴＶホームターミナル２６により任意のチャンネルが選局された後、テレビジョン受像機２７に供給されて再生表示される。
【００６７】
また、光／電気変換器２２１により電気信号に変換された例えばＣＳ放送信号は、切替スイッチ２４を介して放送用コンセント７２−１に導出される。そして、放送用コンセント７２−１から出力されたＣＳ放送信号は、分波器２３によりＣＳチューナ２８に導出され、ＣＳチューナ２８により任意のチャンネルが選局された後、テレビジョン受像機２７に供給されて再生表示される。
【００６８】
さらに、光／電気変換器２２１から放送用コンセント２２２−３へ導出された放送信号は、分波器２５によってＶＨＦ／ＵＨＦ放送信号とＢＳ／ＣＳ１１０°放送信号とに分配されてテレビジョン受像機２７に供給され、視聴者の選択指示によってＶＨＦ、ＵＨＦ、ＢＳ、ＣＳ１１０°の放送信号が選択的に再生表示される。
【００６９】
以上のように上記第３の実施形態では、放送用アウトレット装置７１−１〜７１−４にＣＳ放送用の切替スイッチ２４を内蔵するようにし、また２つの放送用コンセント７２−１，７２−２を設けるようにしているので、上記第１及び第２の実施形態に比べて、部屋内の配線構造の簡素化を図ることができ、これにより、室内における美観の向上を図ることができる。
【００７０】
（第４の実施形態）  
図７はこの発明に係わる放送信号伝送システムの第４の実施形態を示す概略構成図である。図７において、上記図６と同一部分には同一符号を付して詳細な説明を省略する。
【００７１】
すなわち、この第４の実施形態では、上記多心光ケーブル２１−１〜２１−４に代えて、上記放送用アウトレット装置７１−１〜７１−４に、上り信号用ファイバを含む多心光ケーブル８１−１〜８１−４を接続するようにしたものである。
【００７２】
また、情報分電盤８２には、光分配器１１３−１〜１１３−３に加えて、各放送用アウトレット装置７１−１〜７１−４からの上りファイバによる要求信号を収集する光収集器８２１を備えるようにしている。この光収集器８２１は、各上りファイバからの要求信号を電気／光変換器８２２に出力する。電気／光変換器８２２は、要求信号に応じて、入力された複数の放送信号の中から任意の放送信号を選択して要求元に送出する機能を有する。
【００７３】
いま例えばユーザがテレビジョン受像機２７またはテレビジョン受像機２７のリモートコントローラによりＣＳ放送信号に関するチャンネル指定を行なったとする。すると、ＣＳチューナ２８は放送用アウトレット装置７１−１に対し要求信号を送信する。この要求信号には、取得を希望するＣＳ放送のチャンネル情報が含まれる。
【００７４】
放送用アウトレット装置７１−１は、多心光ケーブル８１−１の上りファイバを介して要求信号を情報分電盤８２に送信する。これに対し情報分電盤８２は、電気／光変換器８２２により要求信号を受信すると、入力される複数の放送信号の中から該当するチャンネルのＣＳ放送信号を選択し、このＣＳ放送信号を光信号に変換したのち光分配器１１３−２及びを介して多心光ケーブル８１−１の下りファイバを介して要求元のテレビジョン受像機２７へ送信する。
【００７５】
このとき、放送用アウトレット装置７１−１において、切替スイッチ２４は、ＣＳ放送信号をコンセント７２−１へ導出するように切り替えられる。なお、要求信号としては、ＣＳ放送切替要求の他に、ＣＡＴＶ信号や機器間の制御用信号等がある。
【００７６】
以上のように上記第４の実施形態では、情報分電盤８２と放送用アウトレット装置７１−１〜７１−４との間を、上りファイバを含む多心光ケーブル８１−１〜８１−４により接続し、かつ情報分電盤８２の電気／光変換器８２２に再生部からの要求に応じた放送信号を複数の放送信号の中から任意モードの放送信号を選択して送出する機能を持たせておくようにしているので、放送用アウトレット装置７１−１〜７１−４の処理負担を低減でき、これにより安価な放送用アウトレット装置７１−１〜７１−４を設置するだけで要求に応じた最適な放送信号をテレビジョン受像機２７に対し提供することができる。
【００７７】
（第５の実施形態）  
図８はこの発明に係わる放送信号伝送システムの第５の実施形態を示す概略構成図である。図８において、上記図７と同一部分には同一符号を付して詳細な説明を省略する。
【００７８】
すなわち、この第５の実施形態では、情報分電盤９１と各放送用アウトレット装置９２−１〜９２−４との間を１心の光ファイバを有する光ケーブル９３−１〜９３−４により接続するようにしている。光ケーブル９３−１〜９３−４は、ＷＤＭ（光波長分割多重）技術を用いて複数の光信号を伝送する。
【００７９】
また、情報分電盤９１は、ＣＡＴＶブースタ１１１と、電気／光変換器９１１と、合分波器９１２と、光分配器９１３と、電源装置９１４とを備えている。電気／光変換器９１１は、混合器１２の出力、混合器１３の出力及びＣＡＴＶブースタ１１１の出力を光信号に変換し、この光信号を合分波器９１２に出力する。合分波器９１２は、複数系統（図８では３系統）の光信号をＷＤＭ技術により１つの光信号に多重し、この多重光信号を光分配器９１３に出力する。光分配器９１３は、多重光信号を光ケーブル９３−１〜９３−４に分配する。
【００８０】
放送用アウトレット装置９２−１は、光／電気変換器９２１と、放送用コンセント９２２−１，９２２−２と、合分波器９２３とを備えている。放送用コンセント９２２−１には、分波器２３が接続され、放送用コンセント９２２−２には、分波器２５が接続される。
【００８１】
合分波器９２３は、光ケーブル９３−１により伝送された多重光信号を３系統に分配し、光／電気変換器９２１に出力する。光／電気変換器９２１は、光信号を電気信号に変換して対応する放送用コンセント９２２−１，９２２−２に出力する。また、光／電気変換器９２１には、情報分電盤９１の電源装置９１４からの電源が供給される。
【００８２】
ところで、この第５の実施形態において、電気／光変換器９１１は、要求信号に応じて、入力された複数の放送信号の中から任意の放送信号を選択して要求元に送出する機能を有する。
【００８３】
いま例えばユーザがテレビジョン受像機２７またはテレビジョン受像機２７のリモートコントローラによりＣＳ放送信号に関するチャンネル指定を行なったとする。すると、ＣＳチューナ２８は放送用アウトレット装置９２−１に対し要求信号を送信する。この要求信号には、取得を希望するＣＳ放送のチャンネル情報が含まれる。
【００８４】
放送用アウトレット装置９２−１は、光ケーブル９３−１を介して要求信号を情報分電盤９１に送信する。これに対し情報分電盤９１は、電気／光変換器９１１により要求信号を受信すると、入力される複数の放送信号の中から該当するチャンネルのＣＳ放送信号を選択し、このＣＳ放送信号を光信号に変換したのち合分波器９１２、光分配器９１３及び光ケーブル９３−１を介して要求元のテレビジョン受像機２７へ送信する。
【００８５】
このとき、放送用アウトレット装置９２−１において、切替スイッチ２４は、ＣＳ放送信号を放送用コンセント９２２−１へ導出するように切り替えられる。なお、要求信号としては、ＣＳ放送切替要求の他に、ＣＡＴＶ信号や機器間の制御用信号等がある。
【００８６】
以上のように上記第５の実施形態では、情報分電盤９１と放送用アウトレット装置９２−１〜９２−４との間の接続に多重光信号を伝送する光ケーブル９３−１〜９３−４を用いるようにして、複数の光信号を同時に伝送するようにしているので、情報分電盤９１と放送用アウトレット装置９２−１〜９２−４との間を接続する光ファイバの数を減らすことができ、これによりシステム全体の配線構造の簡素化を図ることができる。また、光ケーブル９３−１〜９３−４を他のＩＰサービスによる放送信号と共有する場合にも、相互に影響を与えることなく放送用アウトレット装置９２−１〜９２−４に伝送することができる。
【００８７】
（第６の実施形態）  
この発明の第６の実施形態は、放送用アウトレット装置に関する。  
図９（ａ）は、この発明の第６の実施形態に係わる放送用アウトレット装置の斜視図であり、図９（ｂ）は、放送用アウトレット装置を側面から見た図である。
【００８８】
放送用アウトレット装置は、住宅の壁裏に配置されるスイッチボックス本体１００に収容される。スイッチボックス本体１００の前面には、放送信号を出力または上り信号を入力するための放送用コンセント１０１〜１０３が配置される。また、壁裏においてスイッチボックス本体１００の上面から光ケーブル１０４が引き出されることになる。
【００８９】
また、電源はスイッチボックス本体１００内の電源により共用されるか、受信機（ＣＳチューナ等）から給電されるか、または情報分電盤から給電される。このとき、給電は、
このように第６の実施形態であれば、放送用アウトレット装置は家庭用のスイッチボックス本体１００に収容され、これにより家庭での使用に相応しい外観を持つことになるので、住宅の景観を大きく損なうことなく導入することができる。
【００９０】
（第７の実施形態）  
この発明の第７の実施形態は、放送用アウトレット装置に関する。  
図１０は、この発明の第７の実施形態に係わる放送用アウトレット装置の斜視図である。
【００９１】
図１０において、図中符号２００は放送用アウトレット装置本体で、前面に放送信号を出力または上り信号を入力するための放送用コンセント２０１〜２０３が配置される。この放送用アウトレット装置本体２００の背面から光ケーブル２０４が引き出されている。この光ケーブル２０４は、住宅の壁に設けられているスイッチボックス３００のコネクタ３０１に接続される。
【００９２】
このように第７の実施形態であれば、放送用アウトレット装置本体２００とスイッチボックス３００とが別々に設けられているので、如何なるタイプのスイッチボックスに対しても光ケーブル２２０接続用のコネクタを配置しているものであれば、簡単に接続することができる。また、放送用アウトレット装置本体２００の電源コンセント２０５を住宅内に既に設けられている電源コネクタに接続するだけで良く、これにより放送用アウトレット装置本体２００に対し十分な電源を供給することができる。特に、情報分電盤やＣＳチューナ等から十分な電源が得られにくい環境にある場合に、非常に有効となる。
【００９３】
（第８の実施形態）  
この発明の第８の実施形態は、情報分電盤に関する。
【００９４】
図１１は、この発明の第８の実施形態に係わる情報分電盤の斜視図である。
【００９５】
図１１において、符号４００は情報分電盤本体であり、内部にＣＡＴＶブースタ４０１と、光信号発生器４０２と、光分配器４０３−１〜４０３−３とを配置し、各ケーブルを上面から引き出した構成となっている。
【００９６】
このような第８の実施形態であれば、情報分電盤本体４００の小型化を図れるとともに、複数のケーブルを情報分電盤本体４００の上面から引き出す構造をとることで、情報分電盤本体４００を壁裏の自由な場所に設置することができる。また、情報分電盤本体４００内のスペースに余裕があれば他の機器を収容することも可能となる。
【００９７】
（その他の実施形態）  
なお、この発明は上記各実施形態の構成に限定されるものではない。例えば上記第１乃至第４の実施形態では、ＳＭＦ(シングルモード光ファイバ)を収容した多心光ケーブルを使用する例について説明した。しかしこれに限ることなく、ＭＭＦ(マルチモード光ファイバ)またはＰＯＦ(プラスチック光ファイバ) を収容した多心光ケーブルを使用してもよい。
【００９８】
また、上記第５の実施形態では、ＷＤＭ技術を用いて複数の光信号を多重する例について説明した。しかしこれに限ることなく、ＴＤＭ（時分割多重）技術を用いて複数の光信号を多重するようにしてもよい。
【００９９】
また、上記第１乃至第５の実施形態では、情報分電盤を用いて入力された放送信号を光信号に変換して各部屋に分配する例について説明したが、情報分電盤以外にも、放送信号を光ファイバにより伝送する信号処理装置であっても実施できる。この場合、例えば外から他の放送サービスによる光信号を入力して光ケーブルによりテレビジョン受像機に提供することができる。
【０１００】
また、上記各実施形態では、小規模住宅または戸建住宅に適用される例について説明したが、例えば複数の支店や営業所を有する企業内等にも適用できる。
【０１０１】
その他、システムの構成、情報分電盤の構成、放送用アウトレット装置の構成、放送信号の種類、光ケーブルの種類、光信号の送受信手順等についても、この発明の要旨を逸脱しない範囲で種々変形して実施できる。
【図面の簡単な説明】
【０１０２】
【図１】この発明に係る放送信号伝送システムの第１の実施形態を示す概略構成図。
【図２】従来考えられていた信号伝送システムの一例を示す概略構成図。
【図３】従来考えられていた信号伝送システムの他の一例を示す概略構成図。
【図４】従来考えられていた信号伝送システムの他の一例を示す概略構成図。
【図５】この発明に係る放送信号伝送システムの第２の実施形態を示す概略構成図。
【図６】この発明に係る放送信号伝送システムの第３の実施形態を示す概略構成図。
【図７】この発明に係る放送信号伝送システムの第４の実施形態を示す概略構成図。
【図８】この発明に係る放送信号伝送システムの第５の実施形態を示す概略構成図。
【図９】この発明の第６の実施形態に係わる放送用アウトレット装置の斜視図。
【図１０】この発明の第７の実施形態に係わる放送用アウトレット装置の斜視図。
【図１１】この発明の第８の実施形態に係わる情報分電盤の斜視図。
【符号の説明】
【０１０３】
１１，３５，４５…情報分電盤、１２，１３，１４…混合器、１５…ＣＡＴＶ保安器、１６…混合器、１７〜２０…アンテナ、２１…多心光ケーブル、２２…放送用アウトレット装置、２３…分波器、２４…切替スイッチ、２５…分波器、２６…ＣＡＴＶホームターミナル、２７…テレビジョン受像機、２８…ＣＳチューナ、３１〜３４…放送用コンセント、３４…切替スイッチ、４６…同軸ケーブル、５４…情報分電盤、５５…衛星信号切替器、５６…同軸ケーブル、６１，７１−１〜７１−４…放送用アウトレット装置、７２−１〜７２−４…放送用コンセント、８１…多心光ケーブル、８２，９１…情報分電盤、９２−１〜９２−４…放送用アウトレット装置、９３−１〜９３−４…光ケーブル、１００…スイッチボックス本体、１１１…ＣＡＴＶブースタ、１０１〜１０３…放送用コンセント、１１２…電気／光変換器、１１３−１〜１１３−３…光分配器、１２０…光ケーブル、２００…放送用アウトレット装置本体、２０１〜２０３…放送用コンセント、２０４…光ケーブル、２２１…光／電気変換器、２２２−１〜２２２−４…放送用コンセント、２０５…接続コンセント、３００…スイッチボックス、３０１…コネクタ、４００…情報分電盤本体、４０１…ＣＡＴＶブースタ、４０２…光信号発生器、４０３−１〜４０３−３…光分配器、８２１…光収集器、８２２…光変換器、９１１…光変換器、９１２…合分波器、９１３…光分配器、９１４…電源装置、９２１…光／電気変換器、９２２−１〜９２２−４…放送用コンセント、９２３…合分波器。
【図１】
2005328302.tif 000003
【図２】
2005328302.tif 000004
【図３】
2005328302.tif 000005
【図４】
2005328302.tif 000006
【図５】
2005328302.tif 000007
【図６】
2005328302.tif 000008
【図７】
2005328302.tif 000009
【図８】
2005328302.tif 000010
【図９】
2005328302.tif 000011
【図１０】
2005328302.tif 000012
【図１１】
2005328302.tif 000013